(57)【要約】【課題】取り扱いが容易で、かつ、好ましい状態で有害獣を捕獲可能な有害獣捕獲装置を提供する。【解決手段】線状材２１、２２が格子状に配設され弾性変形自在なシート状で、外力が作用しない状態では筒状に収縮する捕獲ネット２と、捕獲ネット２を有害獣が侵入可能な筒状である開放状態に保持し、外部からの所定の動作によって保持を解除するトリガー５と、捕獲ネット２を地面Ｇに固定するΩ形金物３と、を備え、開放状態の捕獲ネット２に有害獣が侵入して所定の動作を行うことで、トリガー５による保持が解除されて、捕獲ネット２が筒状に収縮して有害獣に巻き付く。【選択図】図１
2020145937.tif 000002
【特許請求の範囲】
【請求項１】
猪を含む有害獣を捕獲するための有害獣捕獲装置であって、
線状材が格子状に配設され弾性変形自在なシート状で、外力が作用しない状態では筒状に収縮する捕獲ネットと、
前記捕獲ネットを前記有害獣が侵入可能な筒状である開放状態に保持し、所定の動作によって前記保持を解除するトリガーと、
前記捕獲ネットを地面に固定する固定手段と、
を備え、前記開放状態の前記捕獲ネットに前記有害獣が侵入して前記所定の動作を行うことで、前記トリガーによる前記保持が解除されて、前記捕獲ネットが筒状に収縮して前記有害獣に巻き付く、
ことを特徴とする有害獣捕獲装置。
【請求項２】
前記トリガーは、餌を取り付ける餌取付部を備え、前記所定の動作は、前記餌取付部を引っ張ることである、
ことを特徴とする請求項１に記載の有害獣捕獲装置。
【請求項３】
前記トリガーは、前記開放状態の前記捕獲ネットの端部同士が重なった重なり部を仮止めする仮止め具を備え、前記所定の動作によって前記仮止め具が外れて前記保持が解除される、
ことを特徴とする請求項１または２のいずれか１項に記載の有害獣捕獲装置。
【請求項４】
前記固定手段は、線状材を逆Ｕ字に折り曲げ両端部を外側に湾曲させたΩ形金物で構成され、前記Ω形金物の端部を前記地面に突き刺すことで前記地面に固定される、
ことを特徴とする請求項１から３のいずれか１項に記載の有害獣捕獲装置。
【発明の詳細な説明】
【技術分野】
【０００１】
本発明は、猪や鹿などの有害獣を捕獲するための有害獣捕獲装置（罠装置）に関する。
【背景技術】
【０００２】
近年、平野の外縁部から山間地までの中山間地域において、人口の減少や生活スタイルの変化に伴い、耕作放棄地の増加や山林原野の利用放棄が広がり、環境の変化が進んでいる。このような環境が変化した中山間地域は、猪や鹿などの大型獣に餌、隠れ場所、水などを提供する生息適地となるため、大型獣の生息数および生息分布域が拡大している。大型獣の増加は、農地での食害や人への被害（噛みつき、寄生虫など）、堤防や土手、盛り土などの土構造物に対する棄損などのさまざまな問題をもたらしている。
【０００３】
このため、従来から、餌を入れた箱罠を設置してこのような有害獣を捕獲することが行われていた（例えば、特許文献１参照）。この箱罠は、アングル形鋼などから成る骨材間に金属格子を配設して直方体状の箱を形成し、箱内に有害獣が侵入すると扉が閉じるものである。
【先行技術文献】
【特許文献】
【０００４】
【特許文献１】特開２０１３−２４３９５６号公報
【発明の概要】
【発明が解決しようとする課題】
【０００５】
ところで、従来の箱罠は、金属製の骨材と金属格子とから構成されており、かつ、有害獣が中で暴れても壊れないように頑丈に形成されているため、重量が重い。このため、トラックなどの車両で設置場所まで運ぶ必要があり、車両が入れない場所には設置することが困難であった。また、重量物のため、荷卸しや設置には２名以上の人手を要し、多大な労力と時間を要していた。
【０００６】
しかも、箱罠の中で有害獣が暴れることで、刺しとめが困難になるばかりでなく、有害獣が傷付いたりストレスを受けたりして、有害獣を食用に供した場合に味が劣る要因になっていた。また、箱罠の中で有害獣が暴れる様子を見た他の有害獣が、箱罠に入らなくなるおそれがあった。さらに、箱罠の中で有害獣が暴れて傷付くことで、血や臭いが箱罠に付着するが、血や臭いを除去するのに多大な労力と時間を要していた。
【０００７】
そこで本発明は、上記課題を解決するために、取り扱いが容易で、かつ、好ましい状態で有害獣を捕獲可能な有害獣捕獲装置を提供することを目的とする。
【０００８】
一方、授産施設においては、障がいを抱える方々にとって実施可能な作業が限られること等から、作業所の健全な経営に必要な作業が確保できず、経営破たんする作業所が発生する等の社会問題が発生している。このため、当技術のうち障がいを抱える方々にとって実施可能な作業を確保することを目的とする。
【課題を解決するための手段】
【０００９】
上記課題を解決するために、請求項１の発明は、猪を含む有害獣を捕獲するための有害獣捕獲装置であって、線状材が格子状に配設され弾性変形自在なシート状で、外力が作用しない状態では筒状に収縮する捕獲ネットと、前記捕獲ネットを前記有害獣が侵入可能な筒状である開放状態に保持し、外部からの所定の動作によって前記保持を解除するトリガーと、前記捕獲ネットを地面に固定する固定手段と、を備え、前記開放状態の前記捕獲ネットに前記有害獣が侵入して前記所定の動作を行うことで、前記トリガーによる前記保持が解除されて、前記捕獲ネットが筒状に収縮して前記有害獣に巻き付く、ことを特徴とする。
【００１０】
この発明によれば、猪などの有害獣が開放状態の捕獲ネットに侵入して所定の動作を行うと、トリガーによる保持が解除されて、捕獲ネットが筒状に収縮・縮小して有害獣に巻き付く（抱き付く）。
【００１１】
請求項２の発明は、請求項１に記載の有害獣捕獲装置において、前記トリガーは、餌を取り付ける餌取付部を備え、前記所定の動作は、前記餌取付部を引っ張ることである、ことを特徴とする。
【００１２】
請求項３の発明は、請求項１または２に記載の有害獣捕獲装置において、前記トリガーは、前記開放状態の前記捕獲ネットの端部同士が重なった重なり部を仮止めする仮止め具を備え、前記所定の動作によって前記仮止め具が外れて前記保持が解除される、ことを特徴とする。
【００１３】
請求項４の発明は、請求項１から３に記載の有害獣捕獲装置において、前記固定手段は、線状材を逆Ｕ字に折り曲げ両端部を外側に湾曲させたΩ形金物で構成され、前記Ω形金物の端部を前記地面に突き刺すことで前記地面に固定される、ことを特徴とする。
【発明の効果】
【００１４】
請求項１に記載の発明によれば、シート状の捕獲ネットとトリガーと固定手段とを備えるだけであるため、装置を軽量化することが可能となる。しかも、捕獲ネットが有害獣に巻き付くことで有害獣を捕獲、拘束するものであるため、装置を頑丈にする必要がない点からも、装置を軽量化することが可能となる。このように軽量化が可能なため取り扱いが容易で、車両が入れない場所であっても人手で運んで設置することが可能となる。また、軽量で取り扱いが容易なため、荷卸しや設置などを一人で行うことが可能で、労力と時間を軽減することが可能となる。
【００１５】
一方、捕獲ネットが有害獣に巻き付くことで有害獣を捕獲、拘束するため、有害獣が暴れることが困難である。このため、刺しとめが容易になるばかりでなく、有害獣が傷付いたりストレスを受けたりすることによる味の劣化を防止、抑制することが可能となる。また、有害獣が暴れるのを見て他の有害獣が本装置に入らなくなることや、有害獣が暴れて血や臭いが本装置に付着するのを防止、抑制することが可能となる。このように、有害獣を傷付けない、有害獣を刺しとめしやすい、有害獣の味を悪くさせない、有害獣の血や臭いの付着が防止、抑制される、などの好ましい状態で有害獣を捕獲することが可能となる。
【００１６】
さらに、有害獣が所定の動作をして外力が作用しなくなる（トリガーによる保持が解除される）ことで、捕獲ネットがその弾性力によって筒状に収縮する構成のため、電源などを要しない。このため、どこにでも本装置を設置することが可能になるとともに、電源が切れることによる作動停止を防止することが可能となる。
【００１７】
請求項２に記載の発明によれば、有害獣が餌取付部つまり餌を引っ張ることで、トリガーによる保持が解除されて捕獲ネットが有害獣に巻き付く。すなわち、有害獣が餌を捕食しようと引っ張ることに対応して、トリガーによる保持が解除されるだけの構成のため、トリガーを簡易に構成することが可能となる。
【００１８】
請求項３に記載の発明によれば、有害獣が所定の動作をすると、仮止め具が外れてトリガーによる保持が解除されるだけの構成のため、トリガーを簡易に構成することが可能となる。しかも、開放状態の捕獲ネットの重なり部を仮止め具で仮止めするだけで、捕獲ネットの開放状態を保持できるため、本装置を容易に設置することが可能となる。
【００１９】
請求項４に記載の発明によれば、捕獲ネットを地面に固定する固定手段がΩ形金物で構成され、Ω形金物の両端部が外側に湾曲して地面に突き刺さるため、有害獣がもがいたとしてもΩ形金物が地面から抜けにくい。すなわち、引き抜く毎にΩ形金物上部の土塊が締め固まり、受動土圧が湾曲したΩ形金物に作用し、引き抜き抵抗力が増加する。猪などは、引き抜く毎に引き抜き力が増加する特性に対して、引き抜き行動を諦めてしまう習性があることから、捕獲ネットを取り外す等の破壊行動をしたとしても、Ω形金物が地面から抜けにくい。つまり、捕獲ネットを地面に強固に固定することができ、その結果、有害獣をより確実に捕獲することが可能となる。しかも、Ω形金物が線状材を折り曲げただけの簡易な構成のため、製作費や保守費などを低減することが可能となるとともに、授産作業で製作することが可能である。
【図面の簡単な説明】
【００２０】
【図１】この発明の実施の形態に係る有害獣捕獲装置を示す正面図である。
【図２】図１の有害獣捕獲装置の側面図である。
【図３】図１の有害獣捕獲装置のΩ形金物と連結ゴムを示す正面図である。
【図４】図３のΩ形金物に力が作用した状態を示す模式図である。
【図５】図１の有害獣捕獲装置のトリガーを示す正面図（ａ）と側面図（ｂ）である。
【図６】図１の有害獣捕獲装置に有害獣が侵入した状態を示す正面図である。
【図７】図１の有害獣捕獲装置で有害獣を捕獲した状態を示す正面図である。
【図８】図１の有害獣捕獲装置で有害獣を捕獲した状態を示す側面図である。
【発明を実施するための形態】
【００２１】
以下、この発明を図示の実施の形態に基づいて説明する。
【００２２】
図１および図２は、この発明の実施の形態に係る有害獣捕獲装置１を示す正面図および側面図である。この有害獣捕獲装置１は、猪や鹿などの大型の有害獣を捕獲するための装置（罠装置）であり、主として、捕獲ネット２と、Ω形金物（固定手段）３と、トリガー５と、を備える。
【００２３】
捕獲ネット２は、線状材が格子状（網状）に配設され弾性変形自在なシート状で、外力が作用しない状態では筒状に収縮するネット・網体である。すなわち、所定の強度を有し弾性変形自在な素線（例えば、鋼線）で構成された、縦材としての第１の線材（線状材）２１と、横材としての第２の線材（線状材）２２が複数格子状に配設されて、網シート状の捕獲ネット２が形成されている。また、各第１の線材２１は、カール状に形成され、外力を作用させると大きい円状や円弧状に展開し、外力を解除するとカール状に戻るようになっている。
【００２４】
このような第１の線材２１の弾性によって、外力を作用させると捕獲ネット２が大径の筒状や円弧状に展開し、外力が作用しない状態では、捕獲ネット２が小径の筒状に収縮する。ここで、後述するように、大径の筒状の状態つまり開放状態では、筒内に有害獣が侵入でき、小径の筒状の状態では、有害獣に巻き付いて有害獣を拘束できるように、捕獲ネット２の大きさ、弾性力が設定されている。同様に、開放状態の捕獲ネット２の長さ（筒の長さ）は、有害獣を十分に収容できるように設定されている。
【００２５】
また、第２の線材２２が第１の線材２１の外側に配設され、捕獲ネット２の展開、収縮が円滑に行えるようになっている。さらに、図２に示す捕獲ネット２の両端部が重なる重なり部２Ａにおいて、外側に位置する端部の端縁が外側に反り、内側に位置する端部の端縁が内側に反ることで、捕獲ネット２の展開、収縮がより円滑に行えるようになっている。また、第１の線材２１と第２の線材２２には、鋼線などの素線を雨水などから保護するための被覆を施すことも可能である。
【００２６】
Ω形金物３は、捕獲ネット２を地面Ｇに固定する固定具であり、図３に示すように、細長い金属材（線状材）を逆Ｕ字状に折り曲げ、両端部を外側に湾曲させたΩ状（たこウインナーの輪郭状）に形成されている。すなわち、半円弧状の円弧部３１と、その両端部から垂直に延びる垂直部３２と、両垂直部３２の端部から円弧状に外側に延びる湾曲部３３と、を有する。また、図４に示すように、有害獣の力Ｐによって捕獲ネット２が引っ張られても、Ω形金物３が地面Ｇから抜けないように、湾曲部３３の円弧径、長さが設定されている。
【００２７】
そして、連結ゴム４を介して捕獲ネット２に連結されて、両湾曲部３３を地面（地中）Ｇに突き刺すことで、捕獲ネット２が地面Ｇに固定されるようになっている。すなわち、連結ゴム４は、ゴム製で帯状のゴム帯４１の両端部が、ソケット４２によって着脱自在となっている。そして、例えば、捕獲ネット２の第２の線材２２とΩ形金物３の円弧部３１にゴム帯４１を通して、ゴム帯４１の両端部をソケット４２で結合することで、連結ゴム４を介して捕獲ネット２とΩ形金物３が連結される。この状態で、Ω形金物３の両湾曲部３３を地面Ｇに突き刺すことで、捕獲ネット２が地面Ｇに固定される。
【００２８】
このように、連結ゴム４を介して捕獲ネット２とΩ形金物３とが連結されることで、後述するようにして拘束された有害獣がもがいた際に、連結ゴム４が弾性変形してΩ形金物３に作用する力が軽減されるとともに、連結ゴム４が元の形状に戻ることで捕獲ネット２が元の位置に戻るものである。ここで、連結ゴム４（特に、ゴム帯４１）の強度は、拘束された有害獣がもがいても耐えられる（損傷しない）ように設定されている。
【００２９】
トリガー５は、捕獲ネット２を有害獣が侵入可能な筒状（大径の筒状）である開放状態に保持し、外部からの所定の動作によって保持を解除するものであり、図５に示すように、主として、２つの仮止め具５１と餌取付部５３とを備える。
【００３０】
仮止め具５１は、開放状態の捕獲ネット２の端部同士が重なった重なり部２Ａを仮止めする金具である。すなわち、細長い金属材（線状材）がＵ字状に折り曲げられて形成され、両端部を外側に小さく湾曲させたフック部５１ａが設けられている。そして、図２に示すように、有害獣が侵入可能な大径の筒状に捕獲ネット２を展開し、この開放状態で捕獲ネット２の端部同士が重なった重なり部２Ａに、筒内から仮止め具５１の両端部側を挿入して開放状態を保持（重なり部２Ａを仮止め）する。この際、例えば、隣接する第２の線材２２の間に仮止め具５１を挿入し、外側に位置する第２の線材２２にフック部５１ａを掛ける。ここで、この実施の形態では、重なり部２Ａが上方（頂部）に位置するように捕獲ネット２を設置するものとする。
【００３１】
また、仮止め具５１のフック部５１ａの形状は、後述するように、外部からの所定の動作が行われると、重なり部２Ａから外れる（抜け落ちる）ように設定されている。そして、２つの仮止め具５１が重なり部２Ａから外れることで、捕獲ネット２の開放状態の保持が解除される。
このような仮止め具５１が２つ設けられ、図５に示すように、２つの仮止め具５１が連結棒５２で連結されている。この実施の形態では、仮止め具５１のＵ字の湾曲部で連結棒５２と接続されている。この連結棒５２の長さは、２つの仮止め具５１で捕獲ネット２の開放状態を適正に保持できるように（保持できる位置で２つの仮止め具５１が仮止めするように）、設定されている。
【００３２】
餌取付部５３は、有害獣への餌Ｆを取り付けるものであり、棒状体で、一方の仮止め具５１のＵ字の湾曲部から垂直下方に延びるように配設され、下端部には、餌Ｆを掛けるためのＵ字状のフック部５３ａが形成されている。ここで、仮止め具５１と連結棒５２の接続や、仮止め具５１と餌取付部５３の接続は、固定でもよいし、それぞれが可動するようにしてもよい。そして、この餌取付部５３を引っ張る、という所定の動作を外部から行うことで、仮止め具５１が重なり部２Ａから外れて、捕獲ネット２の開放状態が解除される。ここで、餌取付部５３が引っ張られることで、連結棒５２を介して２つの仮止め具５１が重なり部２Ａから外れるようになっている。
【００３３】
このように、この実施の形態では、一方の仮止め具５１に餌取付部５３を接続しており、この結果、図１に示すように、開放状態の捕獲ネット２の一方の開口側に餌取付部５３が配設される。つまり、開放状態の捕獲ネット２の他方の開口側から有害獣が侵入することを前提とし、このため、後述するように、設置の際には、捕獲ネット２の一方の開口側を塞いで、この開口側からの有害獣の侵入を防止する必要がある。これに対して、開放状態の捕獲ネット２の長さを十分長く設定して、中央部に餌取付部５３を配設し、両方の開口側から有害獣が侵入できるようにしてもよい。
【００３４】
次に、このような構成の有害獣捕獲装置１の作用および、有害獣捕獲装置１による有害獣捕獲方法について説明する。ここで、有害獣が猪１００の場合について、主として説明する。
【００３５】
まず、猪１００が現れそうな場所に有害獣捕獲装置１を設置する。すなわち、図１、図２に示すように、猪１００が侵入可能な大径の筒状つまり開放状態まで捕獲ネット２を展開し、捕獲ネット２の重なり部２Ａにトリガー５の２つの仮止め具５１を挿入して（捕獲ネット２に外力を作用させて）、開放状態を保持する。また、上記のように、捕獲ネット２の底側（反重なり部２Ａ側）に連結ゴム４を介してΩ形金物３を複数連結し、Ω形金物３の両湾曲部３３を地面Ｇに突き刺すことで、捕獲ネット２を地面Ｇに固定する。この際、後述するようにして猪１００を拘束した際に猪１００がもがいたとしても、捕獲ネット２の地面Ｇへの固定が外れないように、十分な数のΩ形金物３を地面Ｇに突き刺す。
【００３６】
また、有害獣捕獲装置１の設置に際しては、開放状態の捕獲ネット２の両開口のうち、餌取付部５３に近い一方の開口を塞ぐ。例えば、一方の開口が樹木などの障害物で塞がれるように有害獣捕獲装置１を設置したり、一方の開口を塞ぐ板材などを設置したりする。また、餌取付部５３のフック部５３ａに猪１００の餌Ｆを掛け付ける。
【００３７】
そして、餌Ｆの匂いに誘われた猪１００が、図６に示すように、他方の開口側から開放状態の捕獲ネット２内に侵入し、餌Ｆを捕食しようと餌取付部５３を引っ張ると（所定の動作を行うと）、２つの仮止め具５１が重なり部２Ａから外れる。これにより、トリガー５による捕獲ネット２の開放状態の保持が解除され、つまり、捕獲ネット２に外力が作用しなくなり、図７、図８に示すように、捕獲ネット２がその弾性力によって小径の筒状に収縮・縮小して猪１００に巻き付き（抱き付き）、猪１００が動かないように拘束するものである。
【００３８】
以上のように、この有害獣捕獲装置１および有害獣捕獲方法によれば、主にシート状の捕獲ネット２とΩ形金物３とトリガー５とを備えるだけであるため、装置１を軽量化することが可能となる。しかも、捕獲ネット２が有害獣に巻き付くことで有害獣を捕獲、拘束するものであるため、装置１（特に、捕獲ネット２）を頑丈にする必要がない点からも、装置１を軽量化することが可能となる。このように軽量化が可能なため取り扱いが容易で、車両が入れない場所であっても人手で運んで設置することが可能となる。また、軽量で取り扱いが容易なため、荷卸しや設置などを一人で行うことが可能で、労力と時間を軽減することが可能となる。しかも、捕獲ネット２を収縮させることで広い保管場所を要しない。
【００３９】
一方、捕獲ネット２が有害獣に巻き付くことで有害獣を捕獲、拘束するため、有害獣が暴れることが困難である。このため、刺しとめが容易になるばかりでなく、有害獣が傷付いたりストレスを受けたりすることによる味の劣化を防止、抑制することが可能となる。また、有害獣が暴れるのを見て他の有害獣が本装置１に入らなくなることや、有害獣が暴れて血や臭いが本装置１に付着するのを防止、抑制することが可能となる。このように、有害獣を傷付けない、有害獣を刺しとめしやすい、有害獣の味を悪くさせない、有害獣の血や臭いの付着が防止、抑制される、などの好ましい状態で有害獣を捕獲することが可能となる。
【００４０】
さらに、有害獣が所定の動作をして外力が作用しなくなる（トリガー５による保持が解除される）ことで、捕獲ネット２がその弾性力によって筒状に収縮する構成のため、電源などを要しない。このため、どこにでも本装置１を設置することが可能になるとともに、電源が切れることによる作動停止を防止することが可能となる。
【００４１】
また、有害獣が餌取付部５３つまり餌Ｆを引っ張ることで、トリガー５による保持が解除されて捕獲ネット２が有害獣に巻き付く。すなわち、有害獣が餌Ｆを捕食しようと引っ張ることに対応して、トリガー５による保持が解除されるだけの構成のため、トリガー５を簡易に構成することが可能となる。さらに、有害獣が所定の動作をすると、仮止め具５１が外れてトリガー５による保持が解除されるだけの構成のため、トリガー５を簡易に構成することが可能となる。
【００４２】
例えば、上記のように、主に仮止め具５１と餌取付部５３のみでトリガー５を構成し、仮止め具５１を、細長い金属材をＵ字状に折り曲げた単純な形状とし、餌取付部５３を、棒状体の一端部をＵ字状に曲げた単純な形状にすることができる。しかも、開放状態の捕獲ネット２の重なり部２Ａに仮止め具５１を挿入して仮止めするだけで、捕獲ネット２の開放状態を保持できるため、本装置１を容易に設置することが可能となる。
【００４３】
また、捕獲ネット２を地面Ｇに固定する固定手段がΩ形金物３で構成され、Ω形金物３の湾曲部３３が外側に湾曲して地面Ｇに突き刺さるため、有害獣がもがいたとしてもΩ形金物３が地面Ｇから抜けにくい。すなわち、引き抜く毎にΩ形金物３上部の土塊が締め固まり、受動土圧が湾曲したΩ形金物３に作用し、引き抜き抵抗力が増加する。猪１００などは、引き抜く毎に引き抜き力が増加する特性に対して、引き抜き行動を諦めてしまう習性があることから、捕獲ネット２を取り外す等の破壊行動をしたとしても、Ω形金物３が地面Ｇから抜けにくい。つまり、捕獲ネット２を地面Ｇに強固に固定することができ、その結果、有害獣をより確実に捕獲することが可能となる。しかも、Ω形金物３が線状材を折り曲げただけの簡易な構成のため、製作費や保守費などを低減することが可能となるとともに、授産作業で製作することが可能である。
【００４４】
以上、この発明の実施の形態を詳述してきたが、具体的な構成はこの実施の形態に限られるものではなく、この発明の要旨を逸脱しない範囲の設計の変更等があっても、この発明に含まれる。例えば、上記の実施の形態では、２つの仮止め具５１で捕獲ネット２の開放状態を保持しているが、捕獲ネット２の長さや弾性力などに応じて、１つまたは３つ以上の仮止め具５１で保持するようにしてもよい。
【００４５】
また、餌取付部５３が引っ張られることで仮止め具５１が外れて捕獲ネット２の開放状態が解除される、という機械的なトリガー５となっているが、その他のトリガーであってもよい。例えば、有害獣が捕獲ネット２内に侵入したことをセンサで検知した場合に、保持ロックを解除して、捕獲ネット２の開放状態を解除する（捕獲ネット２を収縮させる）ようにしてもよい。また、有害獣をより確実に捕獲、拘束するために、捕獲時つまり収縮時に筒状の捕獲ネット２の両開口を塞ぐ機構（例えば、エアバック）を備えてもよい。
【００４６】
ところで、この有害獣捕獲装置１は、有害獣を捕獲することを主たる目的としているが、有害獣以外の動物を捕獲する場合にも使用することができるのは勿論である。例えば、保護対象の動物を傷付けないように捕獲するのに使用してもよい。
【符号の説明】
【００４７】
１        有害獣捕獲装置
２        捕獲ネット
２１      第１の線材（線状材）
２２      第２の線材（線状材）
２Ａ      重なり部
３        Ω形金物（固定手段）
３１      円弧部
３２      垂直部
３３      湾曲部（端部）
４        連結ゴム
５        トリガー
５１      仮止め具
５２      連結棒
５３      餌取付部
Ｇ        地面
Ｍ        猪（有害獣）
Ｆ        餌
【図１】
2020145937.tif 000003
【図２】
2020145937.tif 000004
【図３】
2020145937.tif 000005
【図４】
2020145937.tif 000006
【図５】
2020145937.tif 000007
【図６】
2020145937.tif 000008
【図７】
2020145937.tif 000009
【図８】
2020145937.tif 000010